(57)【要約】【課題】トレーの複数の仕切り区画毎にパック受け台を設けてパックを掛架し、パックの底をトレーの底面から浮かすことにより、苺の重みで段積みの苺を押し潰すことなく、また、トレーにパックを載せる度に、閉じた支持片の面間を拡げるという面倒な動作を伴わないようにするトレーを提供することを目的とする。【解決手段】一枚の段ボール１００から折り上げられた一体形の箱４００の中に、十字型中仕切り５００を構成するトレー６００であって、パック受け台は、分割壁１５の前後で、かつ、この分割壁１５に略平行に前記左右側壁２から拡開された支持片１７からなり、パック７００の周縁をパック受け台により掛架支持するよう構成した中仕切りを備えたトレー。【選択図】      図６
2005112448.tif 000002
【特許請求の範囲】
【請求項１】
一枚の段ボール１００から折り上げられた一体形の箱４００の中
に、十字型中仕切り５００を構成するトレー６００であって、パック受け台は、分割壁１５の前後で、かつ、この分割壁１５に略平行に前記左右側壁２から拡開された支持片１７からなり、パック７００の周縁をパック受け台により掛架支持するよう構成したことを特徴とする中仕切りを備えたトレー。
【請求項２】
パック受け台は、左右側壁２から前後側壁３に当接するように四隅に拡開された支持片５と、縦仕切片２１から前後側壁３に当接するように拡開された支持片２２とからなり、パック７００の周縁をパック受け台により掛架支持するよう構成したことを特徴とする請求項１記載の中仕切りを備えたトレー。
【請求項３】
パック受け台は、前後側壁３の内側で、かつ、この前後側壁３に略平行に前記前後側壁３から拡開された支持片１８からなり、パック７００の周縁をパック受け台により掛架支持するよう構成したことを特徴とする請求項１記載の中仕切りを備えたトレー。    
【請求項４】
前記支持片１７は、この支持片１７に設けられた突片２７と、縦仕切片２１に設けられた切欠き２６とを咬合するよう構成したことを特徴とする請求項１記載の中仕切りを備えたトレー。
【発明の詳細な説明】
【技術分野】
【０００１】
本発明は、一枚の段ボールから折り上げた一体形の箱と、別個に折り上げた中仕切とを組み合わせたトレーに関する。特に、複数の仕切り区画毎に、青果物等用のパック受け台を形成してパックを掛架し、パックの底面をトレーの底面から浮かすことにより、青果の重みで段積みの青果が潰されて傷むことがないようにしたトレーを提供する。
【背景技術】
【０００２】
本件出願人は、苺パック用トレーについて、先に、「特開平９−２４０６５５号」、「特開平９−２４０６５６号」、「特開平９−３０９５２４号」および「特開平１０−３２９８２３号」等を特許出願している。上記の先願発明のものは、いずれもパックの底を浮かせることなく、トレーの底面にパックを直置きして使用するものである。
【０００３】
また、トレーの底面にパックを直置きはしないが、以下のようパック受けを設けた例がある。図１に示すように、パック７００は、底７１、横縁７２、隅縁７３、縦縁７４から構成され、青果等をパック詰めするための入れ物となる。図２はトレー６００Ｃの四半区画の一つに、パック７００を載せた状態を示す。図示するように、トレーの四隅に形成される支持片５と縦仕切片２１Ｃの両端部に四箇所形成される支持片２２は、それぞれ、パックの隅縁７３を受ける。また、前後区画の横仕切りを形成する分割壁１５から、それぞれ支持片３５および支持片３６が拡開される。これらの支持片３５および支持片３６は、お互いがトレーの前後方向に半開きするように構成されているので、これらの支持片の先端部でパックの横縁７２を受けることができる。以上のように、トレー６００Ｃの四半区画毎にパック受け台が形成される。ここで、それぞれ、パック受け台を形成する支持片先端部の、底面１Ｃからの高さ寸法は、パックの深さ寸法より大きい。そのため、パックの周縁部は、支持片５、支持片２２、支持片３５および支持片３６によって支えられながら、パック７００の底面７１は、トレー６００Ｃの底面１Ｃに接触することなく、浮いた状態を保つことができる。即ち、トレー６００Ｃはパック７００がパック受け台によって掛架支持されるように構成されている。
【発明の開示】
【発明が解決しようとする課題】
【０００４】
前述したトレーの底面にパックを直置きする例では、苺等青果の重みが、直接青果自体に掛かるので、パックの中で段積みされる青果が押し潰されて傷む等の問題を抱えていた。
【０００５】
また、複数の支持片により構成されたパック受け台を設けた例では、横仕切りを形成する分割壁１５Ｃに設けた支持片３５および支持片３６は、お互いが半開きするよう折り癖が付けられているものの、拡開された状態からスプリングバックして、両支持片が閉じた状態になり易い。そのため、トレーにパックを挿入する度に、半孔３７に指を差し込んで支持片３５および支持片３６の面間を拡げる動作が必要であり、面倒であった。
【０００６】
本発明は、上記事情に鑑みて、トレーの複数の仕切り区画毎にパック受け台を形成してパックを掛架し、パックの底面をトレーの底面から浮かすことにより、青果等の重みで段積みした青果を押し潰すことなく、また、トレーにパックを載せる度に、閉じた支持片の面間を拡げるという面倒な動作を伴わないようにしたトレーを提供することを目的とする。苺、無花果等青果物のパック詰めのために好適である。
【課題を解決するための手段】
【０００７】
上記目的を達成するために、請求項１の発明は、一枚の段ボール１００から折り上げられた一体形の箱４００の中に、十字型中仕切り５００を構成するトレー６００であって、パック受け台は、分割壁１５の前後で、かつ、この分割壁１５に略平行に前記左右側壁２から拡開された支持片１７からなり、パック７００の周縁をパック受け台により掛架支持するよう構成した中仕切りを備えたトレーである。
【０００８】
請求項２の発明は、請求項１の発明の上記特徴に加えて、パック受け台は、左右側壁２から前後側壁３に当接するように四隅に拡開された支持片５と、縦仕切片２１から前後側壁３に当接するように拡開された支持片２２とからなり、パック７００の周縁をパック受け台により掛架支持するよう構成した中仕切りを備えたトレーである。
【０００９】
請求項３の発明は、請求項１の発明の上記特徴に加えて、パック受け台は、前後側壁３の内側で、かつ、この前後側壁３に略平行に前記前後側壁３から拡開された支持片１８からなり、パック７００の周縁をパック受け台により掛架支持するよう構成した中仕切りを備えたトレーである。  
【００１０】
請求項４の発明は、請求項１の発明の上記特徴に加えて、前記支持片１７は、この支持片１７に設けられた突片２７と、縦仕切片２１に設けられた切欠き２６とを咬合するよう構成した中仕切りを備えたトレーである。
【発明の効果】
【００１１】
本発明にかかわる青果等用のパック用トレーによれば、一体形、分割形にかかわらず、複数の仕切り区画毎に、各種形状の支持片を組み合わせることによってパック受け台を形成させることができる。そして、そのパック受け台によって、パックの周縁を掛架支持し、パックの底を浮かせるようにするので、トレーの底面に対し、直接、青果等の重みが掛かるのを避けることができ、青果が押し潰されて傷むことがないような効果を奏するものである。また、パック受け台の支持片が閉じるたびに、支持片の面間を拡げる動作を必要としないものである。
【発明を実施するための最良の形態】
【００１２】
本発明の実施の形態を、添付図面に例示した本発明の実施例に基づいて以下に具体的に説明する。
【実施例１】
【００１３】
先ず、本発明の第一実施例ついて、図３〜図６を参照しながら説明する。図３は、実施例の箱４００Ａの展開図で、段ボール１００Ａである。左右および前後対称である。図４は、同上、トレーの縦仕切りの展開図で、段ボール２００Ａである。左右および前後対称である。図５は、同上、折り上がったトレー６００Ａを示す斜視図である。図６は、同上、折り上がったトレー６００Ａの一箇所に、パック７００を載せた状態を示す斜視図である。
【００１４】
ここで、箱４００Ａとは、ほぼ矩形状をした段ボール１００Ａから、底面１Ａを囲み、折り目に沿って、左右側壁２Ａおよび前後側壁３Ａを立ち上げた直方体状のものである。後述する十字形中仕切り５００Ａを組み込む前の状態のものである。第二実施例についても同様である。
【００１５】
ほぼ矩形状をした段ボール１００Ａには、所定の複数箇所に折り目や切れ目等を
設けてあるので、それらの設け方について以下に説明する。図３に示すように、段ボール１００Ａは、中央部を占める前後の方形域を底面１Ａとし、この底面１Ａは中央の分割壁１５Ａを介して、前後方向に二つに分割される。底面１Ａの左右には、箱４００Ａの左右の側壁となる左右側壁２Ａを、主折り目Ｋを介して連接している。この左右側壁２Ａは、二枚重ね状に折り曲げて側壁を補強するためのもので、二重折り目Ｌを設けている。さらに、両側の左右側壁２Ａには、外側端部に二箇所、パックを掛架支持する支持片５と、折り目Ｌ上に二箇所の山型突起１０Ａを設けている。ここで、支持片５は、二重折り目Ｌに次いで、主折り目Ｋを折る際に、後述する前後側壁３Ａに当接し、折り目Ｎに沿って強制的に拡開される。また、二重折り目Ｌを折り上げる際に、折り目Ｐを頂辺として、この両側の折り目Ｒに沿って曲がる山型突起１０が形成される。ここで、山型突起１０Ａは、トレー６００Ａを段積みする際、係止孔７Ａ（図３に示す）と嵌合し、位置決めの作用をする。
【００１６】
また、底面１Ａの前後には、主折り目Ｍを介して前後側壁３を、連接している。さらに、前後側壁３Ａの左右は、折り目Ｓを介して、補助片４Ａと連接している。補助片４Ａの上側の両端部には、折り目Ｔを介して、当接片１３Ａを設けている。
【００１７】
前後に分割された底面１Ａを囲むようにして、前後に分割された左右側壁２Ａと前後側壁３Ａを折り上げると、一体型の箱４００Ａが出来上がる。ここで、分割壁１５Ａは、分割線Ｕを頂辺にして、前後に、二重に折り曲げられる。こうして形成された分割壁１５Ａは、十字形中仕切り５００Ａの横仕切りを形成するものである。即ち、十字形中仕切り５００Ａは、縦仕切り片２１Ａ（図４に示す）と分割壁１５Ａ（図３に示す）とで構成される。また、分割壁１５Ａを折り上げた後、支持片１７Ａと片２９Ａとを一体にして主折り目Ｋを介して直角に内側方向へ曲げる。次いで、折り目Ｘを介して支持片１７Ａのみを更に直角に曲げる。こうして、分割壁１５Ａの前後で、かつ分割壁１５Ａに略平行に四組の支持片１７Ａが形成される。この時、左右から支持片１７Ａの先端に設けた突片２７Ａ（図１に示す）同士がお互いに当接した状態となる。後述するように、これらの当接した状態の突片２７Ａと、縦仕切片２１Ａに設けた切欠き２６Ａ（図４に示す）とが咬合する。
【００１８】
次に、十字形中仕切りについて、以下に説明する。図４に示すように、縦仕切り段ボール２００Ａは、二本のミシン目Ｙの左右に縦仕切片２１Ａを設けている。この縦仕切片２１Ａの前後両端には、折り目Ｗを介して、パックを掛架支持する支持片２２と、中央部には切欠き２４Ａとこの両側に小さい切欠き２６Ａを設けている。一方、前述したように分割壁１５Ａは、十字形中仕切り５００Ａの横仕切りを形成する。即ち、十字形中仕切り５００Ａは、図６に示すように、縦仕切片２１Ａと分割壁１５Ａとで構成される。十字形中仕切り５００Ａは、以下のように組み上げられる。先ず、縦仕切り段ボール２００Ａのミシン目Ｙに沿って、両側の縦仕切片２１Ａを折り曲げる。次いで、折り曲げた縦仕切片２１Ａを、分割壁１５Ａに連結する。この際、縦仕切片２１Ａに設けられた切欠き２４Ａを、分割壁１５Ａに設けられた切欠き３３Ａ（図３に示す）に上から挿入、嵌め込んで掛合することにより、図６に示すような十字形仕切り５００Ａが形成される。この時、切欠き２４Ａの両側に設けられた切欠き２６Ａと、支持片１７Ａの先端に設けられた左右の突片２７Ａ（図３に示す）とが咬合するので、支持片１７Ａが前後方向で縦仕切片２１Ａに確実に固定される。
【００１９】
トレー６００Ａが組み上がる過程について、補足説明する。補助片４Ａ（図３に示す）を折り目Ｓを介して内側へ直角に折り曲げた後、この補助片４Ａを上から間に挟むようにして左右側壁２Ａを二重折り目Ｌに沿って内側に折り込む。この左右側壁２Ａを内側に折り込む際、左右先端部の係止片１６Ａ（図３に示す）は、底面１Ａに設けられた四箇所の係止孔７（図３に示す）に挿嵌される。この時、係止片９Ａが辺８Ａに当接するので左右側壁２Ａが、トレーの左右方向で固着される。なお、組み上がった状態では、折り目Ｔを介して直角に曲げられた当接片１３Ａが内側から頂面１４を支える。この時、補助片４Ａの下端に設けた突片１１Ａ（図３に示す）の先端が底面１Ａに当接し、内側から頂面１４Ａを支える。このようにして、二重壁を形成する左右側壁２Ａの頂面１４Ａが天地の方向で補強され、段積みの荷重を受けることができる。
【００２０】
左右側壁２Ａを折り曲げる際、左右側壁２Ａの両端部の支持片５の先端部を、前後側壁３Ａに押し付け、開き気味に当接させながら、折り目Ｎに沿って強制的に拡開させると、パックを受ける支持片５がトレーの四隅に形成される。また、縦仕切片２１Ａの両先端に設けられた支持片２２の先端部を、前後側壁３Ａに開き気味に当接させながら、折り目Ｗに沿って強制的に拡開させる。こうしてパックを受ける支持片２２がトレー６００Ａの縦仕切片２１Ａの両端、両側の四箇所に形成される。
【００２１】
パック受け台の形成について説明する。図６には、トレー６００Ａの四半区画の一つに、パック７００を載せた状態を示す。図示するように、トレーの四隅に形成される支持片５と縦仕切片２１Ａの両端部に四箇所形成される支持片２２は、それぞれ、パックの隅縁７３を受ける。また、分割壁１５Ａの前後に、これと平行に形成される支持片１７Ａはパックの横縁７２を受ける。以上のようにして、トレー６００Ａの四半区画毎にパック受け台が形成される。ここで、それぞれ、支持片先端部の、底面１Ａからの高さ寸法は、パックの深さ寸法より大きい。そのため、パックの周縁部は、支持片５、支持片２２、支持片１７Ａで支えられながら、パックの底面７１は、トレー６００Ａの底面１Ａに接触することなく、浮いた状態を保つことができる。即ち、パック７００はパック受け台により掛架支持するように構成されている。
【００２２】
ここで本実施例のトレーは、図４に示すように、縦仕切片２１Ａの切欠き２４Ａからミシン目Ｙまでの距離Ｊを大きく取れるので、縦仕切片２１Ａの中心部の強度を上げることができ、真ん中から折れることがない。従来の二分割型のトレーでは、中に苺等青果を入れたまま前後側壁３を両手で持ち上げる際、切欠き２４部に応力が集中し、この切欠部から縦仕切片が上下二つに破断し易かった。第二実施例についても同様である。
【００２３】
分割壁１５Ａの前後に形成される４組の支持片１７Ａは、この先端に設けられた突片２７Ａと、縦仕切り片２１Ａの切欠き２６Ａとが咬合するので、前後方向に確実に固定できる。そのため、常に支持片が安定して形成された状態を維持できるので、必要の都度パックをその上に載せることができる。従来のように、その都度、支持片を拡げ直す動作を必要としない。第二実施例についても同様である。
【実施例２】
【００２４】
次に、本発明の第二実施例ついて、図７〜図１０を参照しながら説明する。図７は、実施例の箱４００Ｂの展開図で、段ボール１００Ｂである。左右および前後対称である。図８は、同上、トレーの縦仕切りの展開図で、段ボール２００Ｂである。左右および前後対称である。図９は、同上、折り上がったトレー６００Ｂを示す斜視図である。図１０は、同上、折り上がったトレー６００Ｂの一箇所に、パック７００を載せた状態を示す斜視図である。
【００２５】
ほぼ矩形状をした段ボール１００Ｂには、所定の複数箇所に折り目や切れ目等を設けてあるので、それらの設け方について以下に説明する。図７に示すように、段ボール１００Ｂは、中央部を占める前後の方形域を底面１Ｂとし、この底面１Ｂは中央の分割壁１５Ｂを介して、前後方向に二つに分割される。底面１Ｂの左右には、箱４００Ｂの左右の側壁となる左右側壁２Ｂを、主折り目Ｋを介して連接している。この左右側壁２Ｂは、二枚重ね状に折り曲げて側壁を補強するための二重折り目Ｌを設けている。さらに、折り目Ｌ上に二箇所の山型突起１０Ｂを設けている。また、二重折り目Ｌを折り上げる際に、折り目Ｐを頂辺として、この両側の折り目Ｒに沿って曲げられる山型突起１０Ｂが形成される。ここで、山型突起１０Ｂは、トレー６００Ｂを段積みする際、係止孔７Ｂ（図７に示す）と嵌合し、位置決めの作用をする。
【００２６】
また、底面１Ｂの前後には、主折り目Ｍを介して前後側壁３Ｂを、連接している。さらに、前後側壁３Ｂの左右は、折り目Ｓを介して、補助片４Ｂと連接している。
この補助片４Ｂと支持片１８とを一体にして、折り目Ｓを介して直角に内側方向へ曲げる。次いで、折り目Ｈを介して支持片１８のみを更に直角に曲げる。こうして、前後側壁３Ｂの内側で、かつ前後側壁３Ｂに略平行に支持片１８が形成される。この時、支持片１８の先端に設けた突片３１同士が左右からお互いに当接した状態となる。これらの当接した状態の突片３１と、縦仕切片２１Ｂの両端に設けた切欠き３８（図８に示す）とが咬合する。また、補助片４Ｂの上側の両端部には、折り目Ｔを介して、当接片１３Ｂを設けている。
【００２７】
前後に分割された底面１Ｂを囲むようにして、上下に分割された左右側壁２Ｂと前後側壁３Ｂを折り上げると、一体型の箱４００Ｂが出来上がる。ここで、分割壁１５Ｂは、分割線Ｕを頂辺にして、前後に、二重に折り曲げられる。こうして形成された分割壁１５Ｂは、十字形中仕切り５００Ｂの横仕切りを形成する。即ち、十字形中仕切り５００Ｂは、図１０に示すように縦仕切り片２１Ｂと分割壁１５Ｂとで構成される。また、分割壁１５Ｂを折り上げた後、支持片１７Ｂと片２９Ｂとを一体にして主折り目Ｋを介して直角に内側方向へ曲げる。次いで、折り目Ｘを介して支持片１７Ｂのみを更に直角に曲げる。こうして、分割壁１５Ｂの前後で、かつ分割壁１５Ｂに略平行に四組の支持片１７Ｂが形成される。この時、左右から支持片１７Ｂの先端に設けた突片２７Ｂ同士がお互いに当接した状態となる。これらの当接した状態の突片２７Ｂと、縦仕切片２１Ｂに設けた切欠き２６Ｂ（図８に示す）とが咬合する。
【００２８】
次に、十字形中仕切りについて、以下に説明する。図８に示すように、縦仕切り段ボール２００Ｂは、二本のミシン目Ｙの左右に縦仕切片２１Ｂを設けている。この縦仕切片２１Ｂの両端には、切欠き３８と、中央部には、切欠き２４Ｂとこの両側に小さい切欠き２６Ｂを設けている。一方、前述したように分割壁１５Ｂは、十字形中仕切り５００Ｂの横仕切りを形成する。即ち、十字形中仕切り５００Ｂは、図１０に示すように、縦仕切り片２１Ｂと分割壁１５Ｂとで構成される。十字形中仕切り５００Ｂは、以下のように組み上げられる。先ず、縦仕切段ボール２００Ｂのミシン目Ｙに沿って、両側の縦仕切片２１Ｂを折り曲げる。次いで、折り曲げた縦仕切片を、分割壁１５Ｂに連結する。この際、縦仕切片に設けられた切欠き２４Ｂを、分割壁１５Ｂに設けられた切欠き３３Ｂに上から挿入、嵌め込みんで掛合することにより、図１０に示すような十字形仕切り５００Ｂが形成される。この時、切欠き２４Ｂの両側に設けられた切欠き２６Ｂと、支持片１７Ｂの先端に設けられた左右の突片２７Ｂとが咬合するので、支持片１７Ｂが前後方向で縦仕切片２１Ｂに確実に固定される。同様に、前後側壁３Ｂの内側に、切欠き３８と、支持片１８の先端に設けられた左右の突片３１とが咬合するので、支持片１８が前後方向で縦仕切片２１Ｂに確実に固定される。
【００２９】
トレー６００Ｂが組み上がる過程について、補足説明する。補助片４Ｂを折り目Ｓを介して内側へ直角に折り曲げた後、この補助片４Ｂを上から間に挟むようにして左右側壁２Ｂを二重折り目Ｌに沿って内側に折り込む。この左右側壁２Ｂを内側に折り込む際、左右先端部の係止片１６Ｂ（図７に示す）は、底面１Ｂに設けられた四箇所の係止孔７Ｂ（図７に示す）に挿嵌される。この時、係止片１６Ｂが辺８Ｂに当接するので左右側壁２Ｂが、トレーの左右方向で固着される。なお、組み上がった状態では、折り目Ｔを介して直角に曲げられた当接片１３Ｂが下方から頂面１４Ｂを支える。このようにして、二重壁を形成する左右側壁２Ｂの頂面１４Ｂが天地の方向で補強され、段積みの荷重を受けることができる。
【００３０】
パック受け台の形成について説明する。図１０には、トレー６００Ｂの四半区画の一つに、パック７００を載せた状態を示す。図示するように、分割壁１５Ｂの前後に、これと平行に形成される支持片１７Ｂはパックの横縁７２を受ける。また、前後側壁３の内側で、これと平行に形成された支持片１８もパックの一方の横縁７２を受ける。以上のようにして、トレー６００Ｂの四半区画毎にパック受け台が形成される。ここで、それぞれ、支持片先端部の、底面１Ｂからの高さ寸法は、パックの深さ寸法より大きい。そのため、パックの周縁部は、支持片１７Ｂおよび１８で支えられながら、パックの底面７１は、トレー６００Ｂの底面１Ｂに接触することなく、浮いた状態を保つことができる。即ち、パック７００はパック受け台により掛架支持するように構成されている。以上のように、トレー６００の四半区画毎にパック受け台が形成される。ここで、それぞれ、支持片先端部の、底面１Ｂからの高さ寸法は、パックの深さ寸法より大きい。そのため、パックの周縁部は支持片１７Ｂおよび１８で支えられながら、パックの底面７１は、トレー６００Ｂの底面１Ｂに接触することなく、浮いた状態を保つことができる。即ち、パック７００はパック受け台により掛架支持されるように構成されている。
【産業上の利用可能性】
【００３１】
本発明の使途は、苺、葡萄、杏子、サクランボ、無花果、枇杷等の青果用のトレーに限らず、卵、菓子等の用途に使っても勿論よい。段ボールを使っているが、段ボール以外の各種型紙や、必要に応じてプラスチック等を用いても勿論よい。
【図面の簡単な説明】
【００３２】
【図１】パック７００の斜視図である。
【図２】従来の例で、折上がったトレー６００Ｃの一箇所に、パック７００を載せた状態を示す斜視図である。
【図３】本発明の第一実施例の箱４００Ａの展開図で、段ボール１００Ａである。
【図４】同上、トレーの縦仕切りの展開図で、段ボール２００Ａである。
【図５】同上、折上がったトレー６００Ａを示す斜視図である。
【図６】同上、折上がったトレー６００Ａの一箇所に、パック７００を載せた状態を示す斜視図である。
【図７】本発明の第二実施例の箱４００Ｂの展開図で、段ボール１００Ｂである。
【図８】同上、トレーの縦仕切りの展開図で、段ボール２００Ｂである。
【図９】同上、折上がったトレー６００Ｂを示す斜視図である。
【図１０】同上、折上がったトレー６００Ｂの一箇所に、パック７００を載せた状態を示す斜視図である。
【符号の説明】
【００３３】
１００Ａ〜１００Ｃ（１００）  トレーの段ボール
２００Ａ〜２００Ｃ（２００）  トレーの縦仕切り段ボール
４００Ａ〜４００Ｃ（４００）  箱
５００Ａ〜５００Ｃ（５００）  十字形中仕切り
６００Ａ〜６００Ｃ（６００）  トレー
７００  パック
１Ａ〜１Ｃ  底面
２Ａ〜２Ｃ（２）  左右側壁
３Ａ〜３Ｃ（３）  前後側壁
４Ａ、４Ｂ  補助片
５  支持片
７Ａ、７Ｂ  係止孔
８Ａ、８Ｂ  辺
１０Ａ、１０Ｂ  山型突起
１１Ａ、１１Ｂ  突片
１３Ａ、１３Ｂ  当接片
１４Ａ、１３Ｂ  頂面
１５Ａ〜１５Ｃ（１５）  分割壁
１６Ａ、１６Ｂ  係止片
１７Ａ、１７Ｂ（１７）  支持片
１８  支持片
２１Ａ〜２１Ｃ（２１）  縦仕切片
２２  支持片
２４Ａ、２４Ｂ  切欠き
２５Ａ、２５Ｂ  通気用切欠き
２６Ａ、２６Ｂ（２６）  切欠き
２７Ａ、２７Ｂ（２７）  突片
２８Ａ、２８Ｂ  通気用切欠き
２９Ａ、２９Ｂ  片
３１  突片
３２Ａ、３２Ｂ  通気用切欠き  
３３Ａ、３３Ｂ  切欠き
３５  支持片
３６  支持片
３７  通気用切欠き
３８  切欠き
７１  底
７２  横縁
７３  隅縁
７４  縦縁
Ｈ  折り目
Ｊ  距離
Ｋ  主折り目
Ｌ  二重折り目
Ｍ  主折り目
Ｎ  折り目
Ｐ  折り目
Ｑ  二重折り目
Ｒ  折り目
Ｓ  折り目
Ｔ  折り目
Ｕ  分割線
Ｖ  二重折り目
Ｗ  折り目
Ｘ  折り目
Ｙ  ミシン目
Ｚ  ミシン目
【図１】
2005112448.tif 000003
【図２】
2005112448.tif 000004
【図３】
2005112448.tif 000005
【図４】
2005112448.tif 000006
【図５】
2005112448.tif 000007
【図６】
2005112448.tif 000008
【図７】
2005112448.tif 000009
【図８】
2005112448.tif 000010
【図９】
2005112448.tif 000011
【図１０】
2005112448.tif 000012